Podtech/llm-jp-corpus-v4-ja_patent huggingface dataset:
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
始動条件の成立に基づいて図柄の変動表示を行い、該変動表示の結果に基づいて遊技利益を付与する遊技機において、
前記図柄の変動表示が行われる図柄表示部を有する遊技盤と、
前記遊技盤を視認可能にする窓部と、
前記窓部よりも前方に突出して設けられ、通常状態と、該通常状態よりも上昇した上昇状態とに変化可能な可動装飾演出部と、
前記可動装飾演出部による装飾を透かす透過部と、
を備え、
前記可動装飾演出部が前記通常状態にあるときには、前記透過部を介して前記可動装飾演出部による装飾を遊技者に視認可能にし、
前記可動装飾演出部が前記上昇状態にあるときには、前記透過部を介することなく、該透過部の上方で前記可動装飾演出部による装飾を遊技者に直視可能にする
ことを特徴とする遊技機。
【手続補正２】
【補正対象書類名】明細書
【補正対象項目名】０００４
【補正方法】変更
【補正の内容】
【０００４】
しかしながら、従来と同等の構成では、遊技興趣のさらなる向上を図ることが困難であった。
【手続補正３】
【補正対象書類名】明細書
【補正対象項目名】０００５
【補正方法】変更
【補正の内容】
【０００５】
本発明は、遊技興趣のさらなる向上を図ることが可能な遊技機を提供することにある。
【手続補正４】
【補正対象書類名】明細書
【補正対象項目名】０００６
【補正方法】変更
【補正の内容】
【０００６】
上記の目的を達成するため本発明は、
始動条件の成立に基づいて図柄の変動表示を行い、該変動表示の結果に基づいて遊技利益を付与する遊技機において、
前記図柄の変動表示が行われる図柄表示部を有する遊技盤と、
前記遊技盤を視認可能にする窓部と、
前記窓部よりも前方に突出して設けられ、通常状態と、該通常状態よりも上昇した上昇状態とに変化可能な可動装飾演出部と、
前記可動装飾演出部による装飾を透かす透過部と、
を備え、
前記可動装飾演出部が前記通常状態にあるときには、前記透過部を介して前記可動装飾演出部による装飾を遊技者に視認可能にし、
前記可動装飾演出部が前記上昇状態にあるときには、前記透過部を介することなく、該透過部の上方で前記可動装飾演出部による装飾を遊技者に直視可能にする
ことを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
遊技興趣のさらなる向上を図ることが可能になる。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
複数種類の図柄が外周に施された複数のリールを回転させる図柄表示ゲームを開始して、各々のリールに対応して設けられた停止スイッチが、役の抽選で決定された押し順役に応じた操作順序で操作されると、対応するリールを停止させ、全てのリールが停止したときに導出された図柄の表示結果に応じて入賞が発生する遊技機において、
前記図柄表示ゲームは、通常遊技状態と、前記操作順序が報知されることで該通常遊技状態よりも有利となる特定遊技状態と、前記特定遊技状態で所定ゲーム数を消化すると移行する判定遊技状態とで少なくとも実行され、
抽選により役を決定する役決定手段と、
前記特定遊技状態で所定ゲーム数を消化することができずに、移行条件を満たすと復活遊技状態へ移行させる遊技状態移行手段と、
を具備し、
前記遊技状態移行手段は、前記復活遊技状態で復活条件を満たすと、前記判定遊技状態に辿り着く分を上乗せして元の特定遊技状態へ移行させること、
を特徴とする遊技機。
【請求項２】
請求項１に記載の遊技機において、
前記復活条件は、前記特定遊技状態から前記判定遊技状態までの差ゲーム数に基づいて復活条件が満たされること、
を特徴とする遊技機。
【手続補正２】
【補正対象書類名】明細書
【補正対象項目名】００１９
【補正方法】変更
【補正の内容】
【００１９】
請求項１に係る本発明の遊技機は、上記の目的を達成する為に、複数種類の図柄が外周に施された複数のリールを回転させる図柄表示ゲームを開始して、各々のリールに対応して設けられた停止スイッチが、役の抽選で決定された押し順役に応じた操作順序で操作されると、対応するリールを停止させ、全てのリールが停止したときに導出された図柄の表示結果に応じて入賞が発生する遊技機において、前記図柄表示ゲームは、通常遊技状態と、前記操作順序が報知されることで該通常遊技状態よりも有利となる特定遊技状態と、前記特定遊技状態で所定ゲーム数を消化すると移行する判定遊技状態とで少なくとも実行され、抽選により役を決定する役決定手段と、前記特定遊技状態で所定ゲーム数を消化することができずに、移行条件を満たすと復活遊技状態へ移行させる遊技状態移行手段と、を具備し、前記遊技状態移行手段は、前記復活遊技状態で復活条件を満たすと、前記判定遊技状態に辿り着く分を上乗せして元の特定遊技状態へ移行させることを特徴とする。
【手続補正３】
【補正対象書類名】明細書
【補正対象項目名】００２０
【補正方法】変更
【補正の内容】
【００２０】
請求項２に係る本発明の遊技機は、請求項１に記載の遊技機において、前記復活条件は、前記特定遊技状態から前記判定遊技状態までの差ゲーム数に基づいて復活条件が満たされることを特徴とする。
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
遊技球が流下する遊技領域を備える遊技盤を備え、当該遊技盤に備えられている始動口に遊技球が通過したことに基づいて当落抽選を実行する遊技機であって、
開閉部材が閉鎖されて前記遊技球が入球しないようにする閉鎖状態と、当該開閉部材が開放されて前記遊技球が入球可能となる開放状態とを有する入球装置が前記遊技盤に設けられており、
前記当落抽選によって当りとなる抽選結果が得られると遊技者に有利な有利遊技状態に制御する有利遊技状態制御手段と、
前記有利遊技状態に制御されているとき、閉鎖状態とされている前記開閉部材を所定の開放条件が成立した場合に開放させ、前記開閉部材を閉鎖させる条件として前記入球装置に所定数の遊技球が入球した場合に前記開閉部材を閉鎖させる開閉動作を実行させる開閉動作手段と、
開放状態にある前記開閉部材を前記開閉動作手段によって前記開閉部材を閉鎖させる条件を満たしていなくても閉鎖状態にさせる限定閉鎖手段と、を備え、
前記有利遊技状態は、前記開閉部材が開閉動作を繰り返して実行される有利遊技状態であり、
前記限定閉鎖手段による閉鎖状態は、前記繰り返して実行される開閉動作の総回数の半数に満たない回数で現れるようになされており、
前記有利遊技状態は、閉鎖状態とされている前記開閉部材を開放させるまでの時間が第１の時間および該第１の時間よりも長い第２の時間とがあるなかで、当該第２の時間をもって前記開閉部材を開放させた開放状態のあとに前記限定閉鎖手段による閉鎖状態が現れないようにしており、
前記限定閉鎖手段によって開放状態にある前記開閉部材を閉鎖状態に向かって動作させ、完全な閉鎖状態ではない途中の段階から完全な開放状態に向かって前記開閉部材を動作させることを可能とする
ことを特徴とする遊技機。
【手続補正２】
【補正対象書類名】明細書
【補正対象項目名】０００２
【補正方法】変更
【補正の内容】
【０００２】
パチンコ機として、従来、通常遊技状態中は閉鎖しており、大当り遊技状態中に開放して遊技球を入賞しやすくなるいわゆるシャッタ（アタッカー）を備える遊技機がある（たとえば、特許文献１、特許文献２参照）。この遊技機におけるアタッカーは、例えば矩形の板材を有しており、この板材の下片が盤面に対して枢支され、上片が盤面に対して前後するように揺動可能とされている。そして、閉鎖状態にあるアタッカーが揺動して、その上片が前方に移動した際にアタッカーが開放し、開放状態にあるアタッカーが揺動してその下片が後方に移動した際にアタッカーが閉鎖する。
【手続補正３】
【補正対象書類名】明細書
【補正対象項目名】０００３
【補正方法】変更
【補正の内容】
【０００３】
【特許文献１】特開２００６−２６３２６３号公報
【特許文献２】特開２０１３−７０９９５号公報
【手続補正４】
【補正対象書類名】明細書
【補正対象項目名】０００４
【補正方法】変更
【補正の内容】
【０００４】
上述したアタッカーへの工夫の余地はまだまだ残されており、工夫の施された遊技機を望む声も少なからず存在する。
【手続補正５】
【補正対象書類名】明細書
【補正対象項目名】０００５
【補正方法】変更
【補正の内容】
【０００５】
そこで、本発明の課題は、工夫が施された遊技機を提供することにある。
【手続補正６】
【補正対象書類名】明細書
【補正対象項目名】０００６
【補正方法】変更
【補正の内容】
【０００６】
上記課題を解決した本発明に係る遊技機は、遊技球が流下する遊技領域を備える遊技盤を備え、当該遊技盤に備えられている始動口に遊技球が通過したことに基づいて当落抽選を実行する遊技機であって、開閉部材が閉鎖されて前記遊技球が入球しないようにする閉鎖状態と、当該開閉部材が開放されて前記遊技球が入球可能となる開放状態とを有する入球装置が前記遊技盤に設けられており、前記当落抽選によって当りとなる抽選結果が得られると遊技者に有利な有利遊技状態に制御する有利遊技状態制御手段と、前記有利遊技状態に制御されているとき、閉鎖状態とされている前記開閉部材を所定の開放条件が成立した場合に開放させ、前記開閉部材を閉鎖させる条件として前記入球装置に所定数の遊技球が入球した場合に前記開閉部材を閉鎖させる開閉動作を実行させる開閉動作手段と、開放状態にある前記開閉部材を前記開閉動作手段によって前記開閉部材を閉鎖させる条件を満たしていなくても閉鎖状態にさせる限定閉鎖手段と、を備え、前記有利遊技状態は、前記開閉部材が開閉動作を繰り返して実行される有利遊技状態であり、前記限定閉鎖手段による閉鎖状態は、前記繰り返して実行される開閉動作の総回数の半数に満たない回数で現れるようになされており、前記有利遊技状態は、閉鎖状態とされている前記開閉部材を開放させるまでの時間が第１の時間および該第１の時間よりも長い第２の時間とがあるなかで、当該第２の時間をもって前記開閉部材を開放させた開放状態のあとに前記限定閉鎖手段による閉鎖状態が現れないようにしており、前記限定閉鎖手段によって開放状態にある前記開閉部材を閉鎖状態に向かって動作させ、完全な閉鎖状態ではない途中の段階から完全な開放状態に向かって前記開閉部材を動作させることを可能とすることを特徴とする遊技機。
【手続補正７】
【補正対象書類名】明細書
【補正対象項目名】０００７
【補正方法】変更
【補正の内容】
【０００７】
本発明に係る遊技機によれば、工夫が施された遊技機を提供することができる。
【手続補正書】
【提出日】平成29年12月1日(2017.12.1)
【手続補正１】
【補正対象書類名】明細書
【補正対象項目名】０００７
【補正方法】変更
【補正の内容】
【０００７】
（１）本発明は、外周面に複数種類の図柄が配列されている複数のリール（Ｒ１，Ｒ２，Ｒ３）と、
小役及びリプレイを含む複数種類の役の当否を決定する内部抽選を行う内部抽選手段（２３）と、
遊技者による開始操作を検出するスタートスイッチ（７３）及び前記複数のリールに対応して設けられ、各リールを停止させるための停止操作を検出するストップスイッチ（７４）を含む複数の操作検出手段（７１，７２，７３，７４，７５，７６）と、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール制御を行うリール制御手段（２４）と、
前記複数のリールが停止した状態で、役ごとに予め定められた入賞形態を示す図柄組合せが有効ライン（Ｌ１）上に表示されたことに基づいて、役が入賞したと判定する入賞判定手段（２５）と、
遊技に関する演出を制御する演出制御手段（３０）と、
前記演出制御手段が制御する演出を実行する演出装置（８０）とを備え、
前記演出制御手段は、
前記小役の入賞を補助する入賞補助演出を前記演出装置によって実行する特別演出状態に関する演出移行抽選の当選確率を決定する状態である所定の状態において、前記所定の状態を継続するか否かを決定する所定の抽選を実行し、
前記所定の抽選において前記所定の状態を継続すると決定した場合に、継続すると決定した時点における前記演出移行抽選の当選確率を決定し、
前記所定の抽選において前記所定の状態を継続しないと決定した場合に、決定されている当選確率に基づき前記演出移行抽選を実行する、ことを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
小役及びリプレイを含む複数種類の役の当否を決定する内部抽選を行う内部抽選手段と、
遊技者による開始操作を検出するスタートスイッチ及び前記複数のリールに対応して設けられ、各リールを停止させるための停止操作を検出するストップスイッチを含む複数の操作検出手段と、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール制御を行うリール制御手段と、
前記複数のリールが停止した状態で、役ごとに予め定められた入賞形態を示す図柄組合せが有効ライン上に表示されたことに基づいて、役が入賞したと判定する入賞判定手段と、
遊技に関する演出を制御する演出制御手段と、
前記演出制御手段が制御する演出を実行する演出装置とを備え、
前記演出制御手段は、
前記小役の入賞を補助する入賞補助演出を前記演出装置によって実行する特別演出状態に関する演出移行抽選の当選確率を決定する状態である所定の状態において、前記所定の状態を継続するか否かを決定する所定の抽選を実行し、
前記所定の抽選において前記所定の状態を継続すると決定した場合に、継続すると決定した時点における前記演出移行抽選の当選確率を決定し、
前記所定の抽選において前記所定の状態を継続しないと決定した場合に、決定されている当選確率に基づき前記演出移行抽選を実行する、
ことを特徴とする遊技機。
【手続補正書】
【提出日】平成30年1月12日(2018.1.12)
【手続補正１】
【補正対象書類名】明細書
【補正対象項目名】０００７
【補正方法】変更
【補正の内容】
【０００７】
本発明は、外周面に複数種類の図柄が配列されている複数のリール（Ｒ１，Ｒ２，Ｒ３）と、
小役及びリプレイを含む複数種類の役の当否を決定する内部抽選を行う内部抽選手段（２３）と、
遊技者による開始操作を検出するスタートスイッチ（７３）と、
前記複数のリールに対応して設けられ、各リールを停止させるための停止操作を検出するストップスイッチ（７４）と、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール制御を行うリール制御手段（２４）と、
前記複数のリールが停止した状態で、役ごとに予め定められた入賞形態を示す図柄組合せが有効ライン（Ｌ１）上に表示されたことに基づいて、役が入賞したと判定する入賞判定手段（２５）と、
遊技に関する演出を制御する演出制御手段（３０）と、
前記演出制御手段が制御する演出を実行する演出装置（８０）と、を備え、
前記演出制御手段は、前記リール制御手段によって図柄組合せとして特別図柄組合せが前記有効ライン上に停止表示された後において前記特別図柄組合せとは異なる図柄組合せが前記有効ライン上に停止表示された場合に、以降の前記リール制御によって前記特別図柄組合せが前記有効ライン上に停止表示されたことに基づき遊技者にとって有利な特典を付与する、ことを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
小役及びリプレイを含む複数種類の役の当否を決定する内部抽選を行う内部抽選手段と、
遊技者による開始操作を検出するスタートスイッチと、
前記複数のリールに対応して設けられ、各リールを停止させるための停止操作を検出するストップスイッチと、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール制御を行うリール制御手段と、
前記複数のリールが停止した状態で、役ごとに予め定められた入賞形態を示す図柄組合せが有効ライン上に表示されたことに基づいて、役が入賞したと判定する入賞判定手段と、
遊技に関する演出を制御する演出制御手段と、
前記演出制御手段が制御する演出を実行する演出装置と、を備え、
前記演出制御手段は、前記リール制御手段によって図柄組合せとして特別図柄組合せが前記有効ライン上に停止表示された後において前記特別図柄組合せとは異なる図柄組合せが前記有効ライン上に停止表示された場合に、以降の前記リール制御によって前記特別図柄組合せが前記有効ライン上に停止表示されたことに基づき遊技者にとって有利な特典を付与する、
ことを特徴とする遊技機。
【請求項２】
外周面に複数種類の図柄が配列されている複数のリールと、
小役及びリプレイを含む複数種類の役の当否を決定する内部抽選を行う内部抽選手段と、
遊技者による開始操作を検出するスタートスイッチと、
前記複数のリールに対応して設けられ、各リールを停止させるための停止操作を検出するストップスイッチと、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール制御を行うリール制御手段と、
前記複数のリールが停止した状態で、役ごとに予め定められた入賞形態を示す図柄組合せが有効ライン上に表示されたことに基づいて、役が入賞したと判定する入賞判定手段と、
遊技に関する演出を制御する演出制御手段と、
前記演出制御手段が制御する演出を実行する演出装置と、を備え、
前記演出制御手段は、前記リール制御手段によって図柄組合せとして特別図柄組合せが前記有効ライン上に停止表示された後において前記特別図柄組合せとは異なる図柄組合せが前記有効ライン上に停止表示された場合に、以降の前記リール制御によって前記特別図柄組合せが前記有効ライン上に停止表示されたことに基づき所定の期間継続する遊技者にとって有利な演出状態に演出状態を移行可能にする、
ことを特徴とする遊技機。
【請求項３】
外周面に複数種類の図柄が配列されている複数のリールと、
小役及びリプレイを含む複数種類の役の当否を決定する内部抽選を行う内部抽選手段と、
遊技者による開始操作を検出するスタートスイッチと、
前記複数のリールに対応して設けられ、各リールを停止させるための停止操作を検出するストップスイッチと、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール制御を行うリール制御手段と、
前記複数のリールが停止した状態で、役ごとに予め定められた入賞形態を示す図柄組合せが有効ライン上に表示されたことに基づいて、役が入賞したと判定する入賞判定手段と、
遊技に関する演出を制御する演出制御手段と、
前記演出制御手段が制御する演出を実行する演出装置と、を備え、
前記リール制御手段は、特別図柄組合せとして、第１特別図柄組合せと、前記第１特別図柄組合せとは異なる第２特別図柄組合せを前記有効ライン上に停止表示可能であり、
前記演出制御手段は、
前記リール制御手段によって前記第１特別図柄組合せと前記第２特別図柄組合せとの一方が前記有効ライン上に停止表示された後において前記第１特別図柄組合せ及び前記第２特別図柄組合せとは異なる図柄組合せが前記有効ライン上に停止表示された場合に、以降の前記リール制御によって前記第１特別図柄組合せと前記第２特別図柄組合せとの一方が前記有効ライン上に停止表示されたことに基づき遊技者にとって有利な第１特典を付与し、
前記リール制御手段によって前記第１特別図柄組合せと前記第２特別図柄組合せとの一方が前記有効ライン上に停止表示された後において前記第１特別図柄組合せ及び前記第２特別図柄組合せとは異なる図柄組合せが前記有効ライン上に停止表示された場合に、以降の前記リール制御によって前記第１特別図柄組合せと前記第２特別図柄組合せとの他方が前記有効ライン上に停止表示されたことに基づき前記第１特典とは異なる遊技者にとって有利な第２特典を付与する、
ことを特徴とする遊技機。
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
遊技球を払出装置に向けて案内する誘導樋を備え、
前記誘導樋は、複数の遊技球を１列に並べて流下させる１列構造をなすと共に、遊技機の横方向に湾曲して延び、
前記誘導樋のうち、鉛直方向に延びて前記払出装置に連通する連通部に上流側から連絡し、遊技機の横方向に直線状に延びる横直線部と、その横直線部の上流側に連絡し、鉛直方向に延びて前記横直線部より長い縦直線部と、を有し、
前記縦直線部から前記横直線部にかかる屈曲部分を、前記誘導樋の他の屈曲部分より遊技球の流下速度を減速可能な減速用屈曲部とした、ことを特徴とする遊技機。
【手続補正２】
【補正対象書類名】明細書
【補正対象項目名】０００６
【補正方法】変更
【補正の内容】
【０００６】
上記目的を達成するためになされた請求項１の発明は、遊技球を払出装置に向けて案内する誘導樋を備え、前記誘導樋は、複数の遊技球を１列に並べて流下させる１列構造をなすと共に、遊技機の横方向に湾曲して延びて前記誘導樋のうち、鉛直方向に延び、前記払出装置に連通する連通部に上流側から連絡し、遊技機の横方向に直線状に延びる横直線部と、その横直線部の上流側に連絡し、鉛直方向に延びて前記横直線部より長い縦直線部と、を有し、前記縦直線部から前記横直線部にかかる屈曲部分を、前記誘導樋の他の屈曲部分より遊技球の流下速度を減速可能な減速用屈曲部とした遊技機である。
【手続補正３】
【補正対象書類名】明細書
【補正対象項目名】０００７
【補正方法】変更
【補正の内容】
【０００７】
請求項１の遊技機によれば、誘導樋全体が従来の角柱構造のものに比べて前後方向で薄くなり、誘導樋以外の部品の大型化に伴う遊技機の前後方向の厚さの増加を抑えることが可能になる。
【手続補正４】
【補正対象書類名】明細書
【補正対象項目名】０００８
【補正方法】削除
【補正の内容】
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
数値を報知する第１のカウント演出と、数値を報知する第２のカウント演出とを実行可能なカウント演出実行手段を備え、
前記第１のカウント演出の実行に基づき、前記第２のカウント演出の実行を制限可能とする、
ことを特徴とする遊技機。
【手続補正２】
【補正対象書類名】明細書
【補正対象項目名】０００６
【補正方法】変更
【補正の内容】
【０００６】
（１）上記目的を達成するため、本発明の遊技機は、遊技が可能な遊技機（例えば、パチンコ遊技機１など）であって、数値を報知する第１のカウント演出（例えば、特定演出前演出など）と、数値を報知する第２のカウント演出（例えば、先読みカウントダウン予告など）とを実行可能なカウント演出実行手段（例えば、ステップＳ１６８の特定演出前演出処理とステップＳ１６６の先読み予告設定処理を実行する演出制御用ＣＰＵ１２０など）を備え、前記第１のカウント演出の実行に基づき、前記第２のカウント演出の実行を制限可能とする（例えば、ステップＳ７５７〜Ｓ７５９の処理を実行する演出制御用ＣＰＵ１２０など）。このような構成によれば、カウント演出（例えば、特定演出前演出、先読みカウントダウン予告など）が分かり難くなることを防止でき、遊技の違和感を与えることを低減できる。
【手続補正書】
【提出日】平成29年12月7日(2017.12.7)
【手続補正１】
【補正対象書類名】明細書
【補正対象項目名】０００５
【補正方法】変更
【補正の内容】
【０００５】
以上の課題を解決するため、請求項１に記載の発明は、
遊技球が流下可能な遊技領域と、遊技を制御する遊技制御手段と、を備える遊技機において、
前記遊技領域に、
遊技球が入賞可能な始動入賞口と、
遊技球が入賞不能な閉状態と遊技球が入賞可能な開状態とに変換可能な普通変動入賞装置、第１特別変動入賞装置及び第２特別変動入賞装置と、を備え、
前記第１特別変動入賞装置は、内部に遊技球が流入可能な特定領域を備え、
前記遊技制御手段は、
前記始動入賞口への入賞に基づき変動表示ゲームを実行し、前記変動表示ゲームの結果が特別結果となった場合に前記第２特別変動入賞装置を開状態に変換する特別遊技状態を発生するように制御し、
前記特別遊技状態の終了後に、前記普通変動入賞装置を開状態とすることが可能な特定遊技状態を所定期間に亘り設定するように制御することが可能であり、
前記普通変動入賞装置への遊技球の入賞に基づき前記第１特別変動入賞装置を開状態に変換するように制御することが可能であり、当該第１特別変動入賞装置に入賞した遊技球が前記特定領域に流入することに基づき前記特別遊技状態を発生させるように制御するように構成され、
前記特定遊技状態を、前記特別遊技状態の終了に基づき開始し、当該特別遊技状態の終了後に所定の実行回数の前記変動表示ゲームを実行することに基づき終了するように制御することを特徴とする。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
遊技球が流下可能な遊技領域と、遊技を制御する遊技制御手段と、を備える遊技機において、
前記遊技領域に、
遊技球が入賞可能な始動入賞口と、
遊技球が入賞不能な閉状態と遊技球が入賞可能な開状態とに変換可能な普通変動入賞装置、第１特別変動入賞装置及び第２特別変動入賞装置と、を備え、
前記第１特別変動入賞装置は、内部に遊技球が流入可能な特定領域を備え、
前記遊技制御手段は、
前記始動入賞口への入賞に基づき変動表示ゲームを実行し、前記変動表示ゲームの結果が特別結果となった場合に前記第２特別変動入賞装置を開状態に変換する特別遊技状態を発生するように制御し、
前記特別遊技状態の終了後に、前記普通変動入賞装置を開状態とすることが可能な特定遊技状態を所定期間に亘り設定するように制御することが可能であり、
前記普通変動入賞装置への遊技球の入賞に基づき前記第１特別変動入賞装置を開状態に変換するように制御することが可能であり、当該第１特別変動入賞装置に入賞した遊技球が前記特定領域に流入することに基づき前記特別遊技状態を発生させるように制御するように構成され、
前記特定遊技状態を、前記特別遊技状態の終了に基づき開始し、当該特別遊技状態の終了後に所定の実行回数の前記変動表示ゲームを実行することに基づき終了するように制御することを特徴とする遊技機。
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
０．３５７ｇ／ｃｃを下回るかこれと等しい密度を有する研磨パッドの製造方法であって、
前記方法は、
プレポリマーと鎖延長剤または架橋剤とを、混合物を形成するように複数の未膨張微小要素および複数の事前膨張させた微小要素と混合するステップであって、前記複数の未膨張微小要素のそれぞれは、初期サイズを有するステップと、
熱硬化性ポリウレタン材料と前記熱硬化性ポリウレタン材料内に分散された第１の複数の独立気泡孔および第２の複数の独立気泡孔とを含む成形された研磨体を提供するように成形型内で前記混合物を加熱するステップと
を含み、
前記第１の複数の独立気泡孔は、前記加熱ステップの間に、前記複数の未膨張微小要素のそれぞれを、最終的なより大きいサイズに膨張させるステップにより形成され、
前記加熱ステップは、前記成形された研磨体において前記第２の複数の独立気泡孔を提供するように、前記複数の事前膨張させた微小要素のそれぞれの大きさが前記加熱するステップの前後で同じであるような低温で行われる、方法。
【請求項２】
前記複数の未膨張微小要素のそれぞれを最終サイズに膨張させるステップは、
前記複数の未膨張微小要素のそれぞれの体積を３〜１０００倍の範囲で増加させるステップ、または
前記複数の未膨張微小要素のそれぞれの最終直径を１０〜２００ミクロンの範囲で提供するステップ、または
前記複数の未膨張微小要素のそれぞれの密度を３〜１０００倍の範囲で減少させるステップ、または
前記最終サイズの前記複数の未膨張微小要素のそれぞれについて球形を成形するステップ
を含む、請求項１に記載の方法。
【請求項３】
前記加熱ステップは、およそ摂氏１００度またはそれを下回る温度で行われ、前記複数の事前膨張させた微小要素は、摂氏１３０度を下回る温度で膨張しない、請求項１に記載の方法。
【請求項４】
前記複数の事前膨張させた微小要素が膨張を開始する温度の閾値が、前記複数の未膨張微小要素が膨張を開始する温度の閾値を上回る、請求項１に記載の方法。
【請求項５】
前記複数の事前膨張させた微小要素は、摂氏１２０度を下回る温度で膨張せず、前記複数の未膨張微小要素は、摂氏１１０度を下回る温度で膨張を開始する、請求項４に記載の方法。
【請求項６】
前記プレポリマーの混合物、前記鎖延長剤もしくは架橋剤、および前記複数の事前膨張させた微小要素は、粘性を有し、前記プレポリマー、前記鎖延長剤もしくは架橋剤、前記初期サイズを有する前記複数の未膨張微小要素、および前記複数の事前膨張させた微小要素の前記混合物は、前記粘性を有する、請求項１に記載の方法。
【請求項７】
前記粘性は、所定の粘性であり、前記混合物中の前記複数の事前膨張させた微小要素の相対量は、前記所定の粘性に基づき選定されるか、または
前記複数の未膨張微小要素は、前記混合物の粘性に対し皆無かそれに近い効果を有する、
請求項６に記載の方法。
【請求項８】
加熱ステップは、前記熱硬化性ポリウレタン材料と、前記熱硬化性ポリウレタン材料内に分散され、前記複数の未膨張微小要素のそれぞれをサイズ分布の第１のピークがある第１の直径モードを有する最終サイズに膨張させることにより形成された、前記第１の複数の独立気泡孔と、前記熱硬化性ポリウレタン材料内に分散され、サイズ分布の第２の異なるピークがある第２の直径モードを有する前記複数の事前膨張させた微小要素から形成された、前記第２の複数の独立気泡孔とを含む、前記成形された研磨体を提供し、
任意選択で、前記第１の複数の独立気泡孔および前記第２の複数の独立気泡孔は、前記熱硬化性ポリウレタン材料内に、前記熱硬化性ポリウレタン材料の総体積のおよそ５５〜８０％の範囲の総気泡体積を提供する、
請求項１に記載の方法。
【請求項９】
前記成形された研磨体を提供するように前記混合物を加熱するステップは、０．３５７ｇ／ｃｃを下回るかこれと等しい密度を有する研磨体を形成するステップを含み、任意選択で、前記混合物は、前記加熱ステップに先立って、０．５ｇ／ｃｃを上回る密度を有する、請求項１に記載の方法。
【請求項１０】
前記混合ステップは、
前記プレポリマーおよび前記鎖延長剤、もしくは架橋剤内、またはそれらから形成される製品内にガスを注入するステップ、または
不透明な成形された研磨体を提供するよう、前記プレポリマーおよび前記鎖延長剤または架橋剤に不透明化充填剤を添加するステップ
のいずれかをさらに含む、請求項１に記載の方法。
【請求項１１】
前記プレポリマーは、イソシアネートであり、前記混合ステップは、前記プレポリマーに水を加えるステップをさらに含む、請求項１に記載の方法。
【請求項１２】
前記プレポリマーおよび前記鎖延長剤もしくは架橋剤を混合するステップは、イソシアネートおよび芳香族ジアミン化合物を混合するステップをそれぞれ含む、請求項１に記載の方法。
【請求項１３】
前記混合物を加熱するステップは、前記成形型内で第１の部分的硬化をさせるステップと、その後オーブン内でさらに硬化させるステップと、を含む、請求項１に記載の方法。
【請求項１４】
前記成形型内で加熱するステップは、前記成形された研磨体の研磨表面に溝模様を形成するステップを含む、請求項１に記載の方法。
【請求項１５】
前記初期サイズを有する前記複数の微小要素のそれぞれは、物理的シェルを含み、最終サイズを有する前記複数の微小要素のそれぞれは、膨張した物理的シェルを含む、請求項１に記載の方法。
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
基材と、該基材上に形成された被膜とを備え、
前記被膜は、複数のα−Ａｌ2Ｏ3の結晶粒を含むα−Ａｌ2Ｏ3層を有し、
前記α−Ａｌ2Ｏ3層は、その厚み方向において、基材側に位置し、かつ１μｍの厚みを有する下層部と、前記基材側と反対の表面側に位置し、かつ２μｍの厚みを有する上層部と、を含み、
前記α−Ａｌ2Ｏ3層の表面の法線を含む平面で前記α−Ａｌ2Ｏ3層を切断したときの断面に対し、電界放射型走査顕微鏡を用いた電子後方散乱回折像解析によって前記結晶粒のそれぞれの結晶方位を特定し、これに基づいたカラーマップを作成した場合に、
前記カラーマップにおいて、
前記上層部は、（００１）面の法線方向が前記α−Ａｌ2Ｏ3層の表面の法線方向に対して±１０°以内となる前記結晶粒の占める面積が９０％以上であり、
前記下層部は、（００１）面の法線方向が前記α−Ａｌ2Ｏ3層の表面の法線方向に対して±１０°以内となる前記結晶粒の占める面積が５０％以下であり、
前記α−Ａｌ2Ｏ3層は、さらに、その厚み方向に変化する応力分布を有し、
前記α−Ａｌ2Ｏ3層の前記表面側は圧縮残留応力を有し、
前記α−Ａｌ2Ｏ3層の前記基材側は引張残留応力を有する、表面被覆切削工具の製造方法であって、
前記被膜をＣＶＤ法により形成する工程を含む、表面被覆切削工具の製造方法。
【請求項２】
基材と、該基材上に形成された被膜とを備え、
前記被膜は、複数のα−Ａｌ2Ｏ3の結晶粒を含むα−Ａｌ2Ｏ3層を有し、
前記α−Ａｌ2Ｏ3層は、その厚み方向において、基材側に位置し、かつ１μｍの厚みを有する下層部と、前記基材側と反対の表面側に位置し、かつ２μｍの厚みを有する上層部と、を含み、
前記α−Ａｌ2Ｏ3層の表面の法線を含む平面で前記α−Ａｌ2Ｏ3層を切断したときの断面に対し、電界放射型走査顕微鏡を用いた電子後方散乱回折像解析によって前記結晶粒のそれぞれの結晶方位を特定し、これに基づいたカラーマップを作成した場合に、
前記カラーマップにおいて、
前記上層部は、（００１）面の法線方向が前記α−Ａｌ2Ｏ3層の表面の法線方向に対して±１０°以内となる前記結晶粒の占める面積が９０％以上であり、
前記下層部は、（００１）面の法線方向が前記α−Ａｌ2Ｏ3層の表面の法線方向に対して±１０°以内となる前記結晶粒の占める面積が５０％以下であり、
前記α−Ａｌ2Ｏ3層は、さらに、その厚み方向に変化する応力分布を有し、
前記応力分布は、
前記表面側から前記基材側に向けて、圧縮残留応力の絶対値が連続的に大きくなる第１領域と、
前記第１領域よりも前記基材側に位置し、かつ前記表面側から前記基材側に向けて、前記圧縮残留応力の絶対値が連続的に小さくなって引張残留応力に転じ、引き続き、転じた前記引張残留応力の絶対値が連続的に大きくなる第２領域と、を有し、
前記第１領域と前記第２領域とは、前記圧縮残留応力の絶対値が最も大きくなる中間点を介して連続する、表面被覆切削工具の製造方法であって、
前記被膜をＣＶＤ法により形成する工程を含む、表面被覆切削工具の製造方法。
【請求項３】
前記被膜をＣＶＤ法により形成する工程は、α−Ａｌ2Ｏ3層形成工程を含み、
前記α−Ａｌ2Ｏ3層形成工程は、第１のα−Ａｌ2Ｏ3形成工程および第２のα−Ａｌ2Ｏ3形成工程を含む、請求項１または請求項２に記載の表面被覆切削工具の製造方法。
【請求項４】
前記第１のα−Ａｌ2Ｏ3形成工程は、少なくとも前記下層部を形成する工程であり、
前記第１のα−Ａｌ2Ｏ3形成工程は、原料ガスとしてＡｌＣｌ3、Ｎ2、ＣＯ2およびＨ2Ｓを含み、かつ前記ＣＯ2と前記Ｈ2Ｓとの流量比をＣＯ2／Ｈ2Ｓ≧２とする、請求項３に記載の表面被覆切削工具の製造方法。
【請求項５】
前記第１のα−Ａｌ2Ｏ3形成工程の成膜時間は、５分以上３０分以下である、請求項４に記載の表面被覆切削工具の製造方法。
【請求項６】
前記第２のα−Ａｌ2Ｏ3形成工程は、少なくとも前記上層部を形成する工程であり、
前記第２のα−Ａｌ2Ｏ3形成工程は、原料ガスとしてＡｌＣｌ3、Ｎ2、ＣＯ2およびＨ2Ｓを含み、かつ前記ＣＯ2と前記Ｈ2Ｓとの流量比を０．５≦ＣＯ2／Ｈ2Ｓ≦１とする、請求項３〜請求項５のいずれか１項に記載の表面被覆切削工具の製造方法。
【請求項７】
前記第２のα−Ａｌ2Ｏ3形成工程の成膜時間は、３０分以上５００分以下である、請求項６に記載の表面被覆切削工具の製造方法。
【請求項８】
前記被膜をＣＶＤ法により形成する工程は、圧縮残留応力付与工程を含み、
前記圧縮残留応力付与工程は、前記α−Ａｌ2Ｏ3層の前記表面側からブラスト処理を実施することにより前記α−Ａｌ2Ｏ3層に前記圧縮残留応力を付与する工程である、請求項１〜請求項６のいずれか１項に記載の表面被覆切削工具の製造方法。
【手続補正２】
【補正対象書類名】明細書
【補正対象項目名】発明の名称
【補正方法】変更
【補正の内容】
【発明の名称】表面被覆切削工具の製造方法
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
基材と、該基材上に形成された被膜とを備え、
前記被膜は、複数のα−Ａｌ2Ｏ3の結晶粒を含むα−Ａｌ2Ｏ3層を有し、
前記α−Ａｌ2Ｏ3層のうち、その表面に平行な面であって、前記表面から深さ方向に対して０．１μｍ以上０．５μｍ以下の領域に位置する前記α−Ａｌ2Ｏ3層を除去して得られる加工面に対し、電界放射型走査顕微鏡を用いた電子後方散乱回折像解析によって前記結晶粒のそれぞれの結晶方位を特定し、これに基づいた１５μｍ四方のカラーマップを作成した場合に、
前記カラーマップにおいて、
粒径が１μｍ以上３μｍ以下であるα−Ａｌ2Ｏ3の結晶粒Ａの占める面積Ａ1が５０％以下であり、かつ、前記面積Ａ1のうち、（００１）面の法線方向が前記加工面の法線方向に対して±１０°以内となる結晶粒の占める面積Ａ2が９０％以上であり、
粒径が０．５μｍ以上１μｍ未満であるα−Ａｌ2Ｏ3の結晶粒Ｂの占める面積Ｂ1が２０％以上５０％以下であり、かつ、前記面積Ｂ1のうち、（００１）面の法線方向が前記加工面の法線方向に対して±１０°以内となる結晶粒の占める面積Ｂ2が９０％以上であり、
粒径が０．０５μｍ以上０．５μｍ未満であるα−Ａｌ2Ｏ3の結晶粒Ｃの占める面積Ｃ1が１０％以上５０％以下であり、かつ、前記面積Ｃ1のうち、（００１）面の法線方向が前記加工面の法線方向に対して±１０°以内となる結晶粒の占める面積Ｃ2が５０％以上であり、
前記カラーマップ全体の面積に対する、前記面積Ａ1、前記面積Ｂ1、および前記面積Ｃ1の合計面積の割合が、９５％以上である、表面被覆切削工具の製造方法であって、
前記被膜をＣＶＤ法により形成する工程を含む、表面被覆切削工具の製造方法。
【請求項２】
前記被膜をＣＶＤ法により形成する工程は、前記α−Ａｌ2Ｏ3層を形成する工程を含み、
前記α−Ａｌ2Ｏ3層を形成する工程は、第１のα−Ａｌ2Ｏ3層を形成する第１工程および第２のα−Ａｌ2Ｏ3層を形成する第２工程を含む、請求項１に記載の表面被覆切削工具の製造方法。
【請求項３】
前記第１工程は、原料ガスとしてＡｌＣｌ3、Ｎ2、ＣＯ2およびＨ2Ｓを含み、かつ前記ＣＯ2と前記Ｈ2Ｓとの流量比をＣＯ2／Ｈ2Ｓ≧２とする、請求項２に記載の表面被覆切削工具の製造方法。
【請求項４】
前記ＣＯ2および前記Ｈ2Ｓの各流量は、０．４〜２．０Ｌ／ｍｉｎおよび０．１〜０．８Ｌ／ｍｉｎである、請求項３に記載の表面被覆切削工具の製造方法。
【請求項５】
前記第２工程は、原料ガスとしてＡｌＣｌ3、Ｎ2、ＣＯ2およびＨ2Ｓを含み、かつ前記ＣＯ2と前記Ｈ2Ｓとの流量比を０．５≦ＣＯ2／Ｈ2Ｓ≦１とする、請求項２〜請求項４のいずれか１項に記載の表面被覆切削工具の製造方法。
【請求項６】
前記被膜をＣＶＤ法により形成する工程は、圧縮残留応力付与工程を含み、
前記圧縮残留応力付与工程は、前記α−Ａｌ2Ｏ3層の表面側からブラスト処理を実施することにより前記α−Ａｌ2Ｏ3層に圧縮残留応力を付与する工程である、請求項１〜請求項５のいずれか１項に記載の表面被覆切削工具の製造方法。
【手続補正２】
【補正対象書類名】明細書
【補正対象項目名】発明の名称
【補正方法】変更
【補正の内容】
【発明の名称】表面被覆切削工具の製造方法
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
基材と該基材上に形成された被膜とを備え、
前記被膜は、α−Ａｌ2Ｏ3層を含み、
前記α−Ａｌ2Ｏ3層は、複数のα−Ａｌ2Ｏ3の結晶粒と硫黄とを含み、かつ配向性指数ＴＣ（ｈｋｌ）においてＴＣ（００６）が５を超え、
前記硫黄は、前記α−Ａｌ2Ｏ3層の厚み方向において、前記基材側から遠ざかる方向にその濃度が減少する濃度分布を有する、表面被覆切削工具の製造方法であって、
前記基材上にＣＶＤ法で前記α−Ａｌ2Ｏ3層を含む前記被膜を形成する工程を含む、表面被覆切削工具の製造方法。
【請求項２】
前記被膜を形成する工程は、
α−Ａｌ2Ｏ3の結晶粒の核生成を行なう工程と、
前記α−Ａｌ2Ｏ3層を形成する工程と、を含み、
前記α−Ａｌ2Ｏ3の結晶粒の核生成を行なう工程および前記α−Ａｌ2Ｏ3層を形成する工程において導入する原料ガスに含まれるＨ2Ｓの配合量を、０．５〜５体積％とする、請求項１に記載の表面被覆切削工具の製造方法。
【請求項３】
前記α−Ａｌ2Ｏ3の結晶粒の核生成を行なう工程は、前記原料ガスに含まれるＨ2Ｓの配合量を、瞬間的に１３０〜１６０％まで増加させる操作を含む、請求項２に記載の表面被覆切削工具の製造方法。
【請求項４】
前記操作は、１回または２回以上である、請求項３に記載の表面被覆切削工具の製造方法。
【請求項５】
前記原料ガスは、前記Ｈ2Ｓ以外にＡｌＣｌ3、ＨＣｌ、ＣＯ、ＣＯ2、Ｏ2およびＨ2を含み、
前記ＡｌＣｌ3は１．３〜２．５体積％含まれ、前記ＨＣｌは２．８〜６体積％含まれ、前記ＣＯは１〜５体積％含まれ、前記ＣＯ2は０．４〜３体積％含まれ、前記Ｏ2は０．００２〜０．００８体積％含まれ、残部がＨ2である、請求項２〜請求項４のいずれか１項に記載の表面被覆切削工具の製造方法。
【請求項６】
前記α−Ａｌ2Ｏ3の結晶粒の核生成を行なう工程および前記α−Ａｌ2Ｏ3層を形成する工程は、炉内温度を９７０〜１０２０℃とし、炉内圧力を７０〜１１０ｈＰａとした条件により行なわれる、請求項２〜請求項５のいずれか１項に記載の表面被覆切削工具の製造方法。
【手続補正２】
【補正対象書類名】明細書
【補正対象項目名】発明の名称
【補正方法】変更
【補正の内容】
【発明の名称】表面被覆切削工具の製造方法
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
画像が印刷されたシートに後処理を行うことを指示された印刷ジョブを実行する画像処理装置であって、
情報処理装置より印刷ジョブを受信する受信手段と、
前記受信手段により受信された印刷ジョブに指定された後処理を行うことができるか否かを判定する判定手段と、
前記判定手段により後処理を行うことができないと判定された場合、前記印刷ジョブに指定されている設定情報であって、前記後処理を行うことができない場合に行うべき制御に関する設定情報に基づき前記印刷ジョブの実行を制御する制御手段と、
を有することを特徴とする画像処理装置。
【請求項２】
ユーザが情報を入力するための操作部を用いて、前記印刷ジョブに指定された後処理を行うことができない場合に行うべき制御に関する第２の設定情報を前記印刷ジョブの受信前に予め設定する設定手段を有し、
前記制御手段は、前記印刷ジョブに指定された後処理を行うことができない場合に、前記印刷ジョブに前記設定情報が指定されていれば、前記設定情報に基づいて前記印刷ジョブの実行を制御し、前記印刷ジョブに前記設定情報が指定されていなければ、前記第２の設定情報に基づいて前記印刷ジョブの実行を制御することを特徴とする請求項１記載の画像処理装置。
【請求項３】
前記設定情報が、印刷ジョブをキャンセルする旨の情報であった場合、前記制御手段は、受信した前記印刷ジョブをキャンセルすることを特徴とする請求項１又は２記載の画像処理装置。
【請求項４】
前記設定情報が、後処理をキャンセルする旨の情報であった場合、前記制御手段は、受信した前記印刷ジョブに指示されている後処理をキャンセルして前記印刷ジョブを実行することを特徴とする請求項１又は２記載の画像処理装置。
【請求項５】
前記印刷ジョブに前記設定情報が指定されていない状態は、前記印刷ジョブに指定されている後処理を行うことができない場合に、前記画像処理装置の設定に従う旨の情報が前記印刷ジョブに指定されている状態であることを特徴とする請求項２記載の画像処理装置。
【請求項６】
前記印刷ジョブに、前記画像処理装置の設定に従う旨の情報が指定されている場合、前記制御手段は、前記第２の設定情報に基づき受信した前記印刷ジョブの実行を制御することを特徴とする請求項５記載の画像処理装置。
【請求項７】
前記印刷ジョブに指定されている後処理が実行できない状態は、前記印刷ジョブにより印刷される一部を構成するシートの枚数が前記後処理の制限枚数を超えている状態であることを特徴とする請求項１乃至６の何れか１項記載の画像処理装置。
【請求項８】
前記第２の設定情報は、後処理の種類ごとに設定されることを特徴とする請求項２記載の画像処理装置。
【請求項９】
前記第２の設定情報を表示する表示手段を更に有する請求項２、５、６、８の何れか１項記載の画像処理装置。
【請求項１０】
受信した印刷ジョブに基づいて印刷及び後処理の実行を制御する画像処理装置へ印刷ジョブを送信する情報処理装置であって、
印刷及び後処理を行うことの指示を含む印刷ジョブを生成する生成手段と、
前記印刷ジョブに指定する後処理を前記画像処理装置が実行不能と判断した場合に行うべき制御に関する設定情報を設定する設定手段と、
前記設定情報を前記印刷ジョブに含めて画像処理装置に送信する送信手段と、
を有することを特徴とする情報処理装置。
【請求項１１】
画像が印刷されたシートに後処理を行うことを指示された印刷ジョブを実行する画像処理装置の制御方法であって、
情報処理装置より印刷ジョブを受信する受信ステップと、
受信された印刷ジョブに指定された後処理を行うことができるか否かを判定する判定ステップと、
受信した印刷ジョブに指定された後処理を行うことができないと判定された場合、前記印刷ジョブに指定されている設定情報であって、前記後処理を行うことができない場合に行うべき制御に関する設定情報に基づき前記印刷ジョブの実行を制御する制御ステップと、
を含むことを特徴とする画像処理装置の制御方法。
【請求項１２】
受信した印刷ジョブに基づいて印刷及び後処理の実行を制御する画像処理装置へ印刷ジョブを送信する情報処理装置の制御方法であって、
印刷及び後処理を行うことの指示を含む印刷ジョブを生成する生成ステップと、
前記印刷ジョブに指定する後処理を前記画像処理装置が実行不能と判断した場合に行うべき制御に関する設定情報を設定する設定ステップと、
前記設定情報を前記印刷ジョブに含めて画像処理装置に送信する送信ステップと、
を含むことを特徴とする情報処理装置の制御方法。
【請求項１３】
請求項１１記載の画像処理装置の制御方法をコンピュータに実行させるためのプログラム。
【請求項１４】
請求項１２記載の情報処理装置の制御方法をコンピュータに実行させるためのプログラム。
【手続補正２】
【補正対象書類名】明細書
【補正対象項目名】発明の名称
【補正方法】変更
【補正の内容】
【発明の名称】画像処理装置、情報処理装置、画像処理装置の制御方法、情報処理装置の制御方法及びプログラム
【手続補正３】
【補正対象書類名】明細書
【補正対象項目名】０００１
【補正方法】変更
【補正の内容】
【０００１】
本発明は、画像処理装置、情報処理装置、画像処理装置の制御方法、情報処理装置の制御方法及びプログラムに関する。
【手続補正４】
【補正対象書類名】明細書
【補正対象項目名】０００５
【補正方法】変更
【補正の内容】
【０００５】
そこで、本発明は、画像が印刷されたシートに後処理を行うことを指示された印刷ジョブを実行する画像処理装置であって、情報処理装置より印刷ジョブを受信する受信手段と、前記受信手段により受信された印刷ジョブに指定された後処理を行うことができるか否かを判定する判定手段と、前記判定手段により後処理を行うことができないと判定された場合、前記印刷ジョブに指定されている設定情報であって、前記後処理を行うことができない場合に行うべき制御に関する設定情報に基づき前記印刷ジョブの実行を制御する制御手段と、を有することを特徴とする。